(57)【要約】【課題】既設の油圧エレベータのプランジャーを効率良く撤去することにより工期を短縮することができるエレベータのリニューアル作業方法を提供すること。【解決手段】既設の乗りかごを活用して設置した昇降装置と、新設のかご床を利用した昇降可能な足場を使用して、プランジャー、シリンダー及びプランジャーレールを撤去する。これにより、早期に新設のかご床を昇降可能にして、プランジャーなどを効率良く撤去し、工期を短縮することができる。【選択図】図８
2018058673.tif 000002
【特許請求の範囲】
【請求項１】
昇降路内において既存のプランジャーを用いて既設の乗りかごを既設のガイドレールに沿って昇降させる既設の油圧エレベータを撤去し、前記昇降路内において巻上機によるロープの巻き上げ下げに応じて前記ロープの一端に固定された新設の乗りかごを新設のガイドレールに沿って昇降させるロープ式エレベータへリニューアルするエレベータのリニューアル作業方法において、
前記昇降路内における最上部に位置させた前記既設の乗かごを足場として前記昇降路内の頂部に仮設の昇降装置を取り付け、
前記既設の乗かごを前記最上部から下降させながら前記既設の乗かごを足場として前記既設のガイドレールを撤去し、その後、前記既設の乗かごを撤去するとともに、前記昇降路の底部において前記新設のガイドレールの一部を前記昇降路内に設置し、
前記新設の乗りかご、又は前記新設の乗りかごの一部を構成する新設のかご床を、前記新設のガイドレールの一部に装着するとともに、前記仮設の昇降装置から前記底部に延びるロープの一端に固定した状態で、前記仮設の昇降装置による前記ロープの巻き上げに応じて前記新設の乗りかご又は前記新設のかご床を上昇させながら前記新設のガイドレールの一部の続きである前記新設のガイドレールの残りを前記昇降路内に設置し、
前記昇降路の上部に設けられた揚重機によって前記既存のプランジャーを吊り下げ、前記仮設の昇降装置により前記新設の乗りかご又は前記新設のかご床を昇降させながら前記既存のプランジャーを撤去し、
前記巻上機を含む必要な新設の設備を設置し、その後前記新設の乗りかごを足場として前記仮設の昇降装置を撤去して前記ロープ式エレベータを構成する
ことを特徴とするエレベータのリニューアル作業方法。
【請求項２】
前記既存のプランジャーは、前記昇降路の上部に設けられた揚重機によって吊り下げられながら、前記仮設の昇降装置により昇降可能な前記新設のかご床を足場として切断されることにより撤去されることを特徴とする請求項１に記載のエレベータのリニューアル作業方法。
【請求項３】
前記新設の乗りかごは、前記新設のかご床に前記新設の乗りかごを構成すべき残りの部分が組み込まれることによって構成されることを特徴とする請求項１また請求項２に記載のエレベータのリニューアル作業方法。
【発明の詳細な説明】
【技術分野】
【０００１】
本発明は、エレベータのリニューアル作業方法に関し、特に、老朽化した既設の油圧エレベータを新しい（以下「新設の」ともいう）ロープ式エレベータにリニューアルするエレベータのリニューアル作業方法に適用して好適なものである。
【背景技術】
【０００２】
従来、経年によりエレベータ設備をリニューアルする場合には、一般に既設の油圧エレベータを撤去してから新設のロープ式エレベータを据え付ける工法が採用されている。ところが、こうした工法では、リニューアル作業を行っている期間に亘って既設のエレベータが使用できなくなるため、利用者側からはリニューアル作業時におけるエレベータの不稼動時間を短縮することが要求されている。
【０００３】
既設の油圧エレベータを新設のロープ式エレベータにリニューアルする場合、一般的には、既設の油圧エレベータ用の設備であるプランジャー、プランジャーレール、配管及び油圧ユニット等の機器を全て撤去した後、ロープ式エレベータ用の設備である釣り合い重り、釣り合い重り用ガイドレール及び巻上機等を新たに設置する。即ち、既設の油圧エレベータで使用していた機器を全て撤去してから新設のロープ式エレベータで使用する機器を新たに設置する工法が採用されている。
【０００４】
しかしながら、このような一般的な工法では工期が長くなるため、これを短縮するために、既設の油圧エレベータの乗かごを用いて既設の油圧エレベータの乗かご用ガイドレール及びプランジャーレールを撤去する方法が提案されていた（特許文献１参照）。
【先行技術文献】
【特許文献】
【０００５】
【特許文献１】特開２０１３−２４１２３９号公報
【発明の概要】
【発明が解決しようとする課題】
【０００６】
しかしながら、上述した従来技術では、既設の油圧エレベータにおいて最も大型の機材であるプランジャーの撤去方法について考慮されていなかったため、その工期を十分に短縮することができなかった。
【０００７】
本発明は以上の点を考慮してなされたもので、既設の油圧エレベータのプランジャーを効率良く撤去することにより工期を短縮することができるエレベータのリニューアル作業方法を提案しようとするものである。
【課題を解決するための手段】
【０００８】
かかる課題を解決するため、本発明においては、昇降路内において既存のプランジャーを用いて既設の乗りかごを既設のガイドレールに沿って昇降させる既設の油圧エレベータを撤去し、前記昇降路内において巻上機によるロープの巻き上げ下げに応じて前記ロープの一端に固定された新設の乗りかごを新設のガイドレールに沿って昇降させるロープ式エレベータへリニューアルするエレベータのリニューアル作業方法において、前記昇降路内における最上部に位置させた前記既設の乗かごを足場として前記昇降路内の頂部に仮設の昇降装置を取り付け、前記既設の乗かごを前記最上部から下降させながら前記既設の乗かごを足場として前記既設のガイドレールを撤去し、その後、前記既設の乗かごを撤去するとともに、前記昇降路の底部において前記新設のガイドレールの一部を前記昇降路内に設置し、前記新設の乗りかご、又は前記新設の乗りかごの一部を構成する新設のかご床を、前記新設のガイドレールの一部に装着するとともに、前記仮設の昇降装置から前記底部に延びるロープの一端に固定した状態で、前記仮設の昇降装置による前記ロープの巻き上げに応じて前記新設の乗りかご又は前記新設のかご床を上昇させながら前記新設のガイドレールの一部の続きである前記新設のガイドレールの残りを前記昇降路内に設置し、前記昇降路の上部に設けられた揚重機によって前記既存のプランジャーを吊り下げ、前記仮設の昇降装置により前記新設の乗りかご又は前記新設のかご床を昇降させながら前記既存のプランジャーを撤去し、前記巻上機を含む必要な新設の設備を設置し、その後前記新設の乗りかごを足場として前記仮設の昇降装置を撤去して前記ロープ式エレベータを構成することを特徴とする。
【発明の効果】
【０００９】
本発明によれば、既設の油圧エレベータのプランジャーを効率良く撤去することにより工期を短縮することができる。
【図面の簡単な説明】
【００１０】
【図１】本実施の形態によるエレベータリニューアル作業方法が適用される油圧エレベータの概略構成を示す断面図である。
【図２】本実施の形態によるエレベータのリニューアル作業方法の一例を示すフローチャートである。
【図３】既設の乗りかごを足場として昇降装置を取り付ける手順を示す断面図である。
【図４】既設の乗りかごを足場としてメインレールを取り外す手順を示す断面図である。
【図５】既設の乗りかごを解体する手順を示す断面図である。
【図６】昇降路の底部において最下部足場を組立て最下部の新設のメインレールを据付ける手順を示す断面図である。
【図７】新設のかご床を活用し、事前に取付けた昇降装置にて昇降する作業床を設置する手順を示す断面図である。
【図８】作業床を使用してプランジャーを解体する手順を示す断面図である。
【図９】解体したプランジャーを切断し搬出する手順を示す断面図である。
【図１０】プランジャーを切断し搬出する手順を示す断面図である。
【図１１】作業床を使用してシリンダーを解体する手順を示す断面図である。
【図１２】作業床を使用してプランジャーレールを解体する手順を示す断面図である。
【図１３】新設のロープ式エレベータが設置されエレベータのリニューアル工事が完了際における断面図である。
【発明を実施するための形態】
【００１１】
以下、図面について、本発明の一実施の形態について詳述する。
（１）本実施の形態によるエレベータのリニューアル作業方法
図１は、本実施の形態によるエレベータのリニューアル作業方法が実施されるエレベータの構成例を示す断面図である。本実施の形態では、エレベータ設備として、間接式の油圧エレベータを例示する。この油圧エレベータは、昇降路１内に設置されており、鉛直方向に伸縮するプランジャー４と、このプランジャー４の鉛直方向における伸縮動作を案内するプランジャーレール６とを備えている。
【００１２】
この油圧エレベータでは、プランジャー４の頂部には図示しない回転シーブが設けられている。この回転シーブには主索４ａが巻き掛けられている。主索４ａの一方の端部は乗りかご２に固定されているとともに、主索４ａの他方の端部は昇降路１の底部にあるプランジャー４の下部のスタンドに固定されている。
【００１３】
プランジャー４が上下に伸縮すると、それに連動して乗りかご２が昇降路１内をメインレール３に沿って昇降する仕組みとなっている。なお、以下の説明においては、設置済みの乗りかごを「既設の乗りかご」と呼ぶ。なお、本実施の形態では、既設の設備と区別し易いように新規に設ける設備を「新設の」とも表現する。
【００１４】
図２は、本実施の形態によるエレベータのリニューアル作業方法における各作業手順の一例を示すフローチャートである。このリニューアル作業方法は、例えば機械室が設けられていないエレベータに関するものである。なお、以下の説明においては従前から実施されている作業手順については簡素化して説明する一方、本実施の形態において特徴的な作業については詳細に説明する。
【００１５】
本実施の形態によるエレベータのリニューアル作業方法では、昇降路１内において既存のプランジャー４を用いて既設の乗りかご２を既設のメインレール３に沿って昇降させる既設の油圧エレベータを撤去し、昇降路１内において巻上機によるロープの巻き上げ下げに応じてこのロープの一端に固定された新設の乗りかごを新設のガイドレールに沿って昇降させるロープ式エレベータにリニューアルしようとする場合を示している。
【００１６】
まず、着工・安全対策がなされ（ステップＳ１）、製品が搬入される（ステップＳ２）。図１に示すように乗場ドア８の昇降路１の反対側に仮囲い９が設置される（ステップＳ３）。このような仮囲い９により、リニューアル作業中に昇降路１内から粉塵等が建屋内に流入することを防止することができる。その後、既設の出入り口が撤去され（ステップＳ４）、最上部に位置する既設のメインレール３が切断される（ステップＳ５）。
【００１７】
次に、図３に示すように昇降路１内のほぼ最上部に位置させた既設の乗りかご２を足場として、昇降路１内の頂部に吊りビーム１０が取り付けられるとともにこの吊りビーム１０に昇降装置１１が昇降装置取付金具１２を介して取り付けられる（ステップＳ６，Ｓ７）。
【００１８】
昇降装置１１を取り付けた後、この昇降装置１１の駆動を制御する制御盤１１ｂが昇降路１の底部に設置され、既設の乗りかご２を足場として、昇降装置１１と制御盤１１ｂを接続する制御ケーブル１１ｃが設置される（ステップＳ７）。続いて、昇降装置ロープ１１ａが昇降装置１１に取付けられる。
【００１９】
続いて、メインレール３についてテンプレートが設置される（ステップＳ８）。既設の乗りかご２を足場として、新設のレールブラケットが取り付けられる（ステップＳ９）。仮設のガバナプーリー及び仮設のガバナロープが取り付けられる（ステップＳ１０）。
【００２０】
次に、既設の乗りかご２を足場として、例えば、図示しない非常用下降弁を操作することにより既設の乗りかご２を昇降路１の最上部に位置させる（ステップＳ１１）。その後建屋の電源が切り離される（ステップＳ１２）。下部テンプが解体される（ステップＳ１３）。
【００２１】
次に、非常用下降弁を操作して、図３及び図４に示すように最上部から既設の乗りかご２を下降させながら、既設の乗りかご２用のメインレール３、メインレールブラケット３ａ及び配線が併せて徐々に撤去される（ステップＳ１４）。
【００２２】
次に、既設の乗りかご２が昇降路１の最下部まで下降されると、図５に示すように既設の乗りかご２が撤去されるとともに配線が撤去される（ステップＳ１５）。さらに昇降路１内におけるメインレール３の最下部が撤去される（ステップＳ１６）。その後、既設のピットベースが撤去され（ステップＳ１７）、下部テンプが張り直しされ（ステップＳ１８）、新設ピットベースの芯出しが行われる（ステップＳ１９）。
【００２３】
次に、図６に示すように、昇降路１の最下部に、新設のメインレール１４を昇降路１の壁面に固定するための新設のメインレールブラケット１４ａのうち最下部を取り付けるために最下部足場１３が組み立てられる（ステップＳ２０）。その後、最下部足場１３を利用して、後述する新設の乗りかご１７を案内するために取り付けられる新設のメインレール１４と、新設のメインレールブラケット１４ａと、が昇降路１の底部から頂部に向けて昇降路１の内壁に取り付けられる（ステップＳ２１）。
【００２４】
次に、既述のように組み立てられた最下部足場１３が、図７に示すように解体されて昇降路１から搬出される（ステップＳ２２）。その後、スリングが分割される（ステップＳ２３）。新設のかご床１５が、昇降路１内に搬入されるとともにこの昇降路１に設置した新設のメインレール１４に組み込まれ、昇降装置ロープ１１ａが取り付けられる（ステップＳ２４）。新設のかご床１５は、後述する新設のロープ式エレベータにおける新設の乗りかご１７のかご床を構成することになる。新設のかご床１５には、安全確保のため、作業用手すり１５ａ及び作業用中さん１５ｂが取り付けられる。なお、以下の説明においては一例として、作業用手すり１５ａ及び作業用中さん１５ｂが取り付けられた新設のかご床１５を以降において足場として利用するが、新設のかご床１５にさらに必要な部品を取り付けて新設の乗りかご１７自体を足場として利用するようにしても良い。
【００２５】
続いて、新設のかご床１５に取付けられた作業用手すり１５ａに昇降装置１１の操作盤１１ｄが取り付けられる。操作盤１１ｄと制御盤１１ｂとが操作ケーブル１１ｅを用いて接続される。操作盤１１ｄの操作に応じて操作ケーブル１１ｅを介して制御盤１１ｂを制御することが可能となり、この制御盤１１ｂが昇降装置１１の駆動を制御することができるようになる。これにより、作業用の足場としての新設のかご床１５が昇降装置１１によって昇降可能となる。その後、試運転が行われ、組み立てチェックがなされ、社内検査が終了する（ステップＳ２５）。
【００２６】
次に、図７に示すように、昇降装置１１を用いて新設のかご床１５を上昇させながら、新設のメインレール１４を順次上方に向けて取り付けていく（ステップＳ２６）。図示しない新設のガバナプーリー及び新設のガバナロープが取り付けられる（ステップＳ２７）。ガバナを盛り替え、仮設のガバナが撤去される（ステップＳ２８）。
【００２７】
次に、図８に示すように新設のかご床１５を所定の位置に停止させる。既設の油圧エレベータのプランジャー４は、昇降路１の頂部に設置する揚重機１６を用いて一旦吊り上げられる。その際、プランジャー４は、そのように吊られながら、昇降装置１１により昇降可能な新設のかご床１５を足場として、図９に示すように破線で図示した各切断部１００において下端から徐々に切断される。
【００２８】
その後、プランジャー４は、図１０に示すように昇降路１の底部でさらに次の切断部１００で切断されることにより解体され、昇降路１の最下部に位置する乗場から昇降路１の外部へ搬出され撤去される（ステップＳ２９）。このようにすると、既設の油圧エレベータにおいて大型で重い機材であるプランジャー４を従来よりも容易に撤去することができ、工期の短縮を図ることができる。
【００２９】
続いて、図１１に示すようにプランジャー４のシリンダー５もプランジャー４と同様に、揚重機１６を用いて吊上げられ、各切断部１００で切断、解体され、昇降路１の外部へ搬出される（ステップＳ３０）。
【００３０】
続いて、上述した新設のかご床１５を足場として、図１２に示すようにプランジャー４を案内しているプランジャーレール６と、このプランジャーレール６を昇降路１の内壁に固定しているプランジャーレールブラケット６ａとが解体される。これらプランジャーレール６及びプランジャーレールブラケット６ａは揚重機１６を用いて昇降路１内で吊り下げられて下ろされ、昇降路１の外部へ搬出される。その後、仮囲い９が撤去される（ステップＳ３１）。
【００３１】
以上のように既設の油圧エレベータが撤去されると、その後、必要な新設の設備として、例えば、次のような新設のロープ式エレベータが設置され、検査などがなされる（ステップＳ３２〜Ｓ５０）。なお、本実施の形態によるエレベータのリニューアル作業方法は、主として既設の油圧エレベータの取り外し方に特徴があるため、以下に示すロープ式エレベータの取り付け方法の説明については適宜一部を省略したり図２に示すフローチャートの各手順とは多少の変更が許容される。
【００３２】
新設のロープ式エレベータの設置方法としては、まず、図１３に示すようにかご下プーリ１７ａなどが新設のかご床１５に組み付けられて新設の乗りかご１７が構成される。このようにすると、上述した撤去作業における作業床として専用の足場を用意して使用後にその足場を撤去する必要がなくなる。次に新設の乗場ドア１８が取り付けられる。昇降路１内の下部にはロープを巻き上げ下げ可能な巻上機１９が設置される。さらにカウンターウェイト（以下「Ｃ．ｗｔ」と省略する）レール２０がＣ．ｗｔレールブラケット２０ａを介して昇降路１の内壁に取り付けられる。その後、Ｃ．ｗｔ２１にＣ．ｗｔプーリ２１ａが取り付けられた状態で、Ｃ．ｗｔレール２０がこれらに組み入れられる。さらに複数の上部プーリ２３がそれぞれ新設のかご床１５を足場として取り付けられた後、新設の主索２２が図示の状態に巻き回されれば、新設のロープ式エレベータへのリニューアル作業が完了する。なお、巻上機１９などを含む必要な新設の設備が設置された後に、新設の乗りかご２を足場として仮設の昇降装置１１等が撤去される。
【００３３】
（２）本実施の形態の効果等
以上のように本実施の形態によるエレベータのリニューアル作業方法によれば、まず、最上部に位置させた既設の乗りかご２を利用して下降させながら既設の一部の各設備を撤去するとともに、さらに、新設のかご床１５などの一部の新設の設備を利用して既設の他の各設備を撤去するため、効率良く既設の全ての設備を撤去することができ、従来よりも工期を短縮することができる。
【００３４】
さらに、例えばプランジャー４を切断する際には、新設のかご床１５を足場として作業できるため、プランジャー４の切断撤去作業も効率化し、工期を短縮することができる。昇降路１の底部において、切断して解体したプランジャー４、及び、シリンダー５を昇降路１の外へ搬出する際、新設のかご床１５を上昇させれば、搬出作業の障害とならず、その結果、さらに効率的な作業が望め、より工期を短縮することができる。
【００３５】
以上説明したように本実施の形態によれば、早期に新設のかご床１５を昇降可能にして、プランジャー４を効率良く撤去することにより、全体として工期を短縮することができる。
【００３６】
（３）その他の実施形態
上記実施形態は、本発明を説明するための例示であり、本発明をこれらの実施形態にのみ限定する趣旨ではない。本発明は、その趣旨を逸脱しない限り、様々な形態で実施することができる。例えば、上記実施形態では、各種プログラムの処理をシーケンシャルに説明したが、特にこれにこだわるものではない。従って、処理結果に矛盾が生じない限り、処理の順序を入れ替え又は並行動作するように構成しても良い。
【産業上の利用可能性】
【００３７】
本発明は、老朽化した油圧エレベータを新しいロープ式エレベータにリニューアルするに広く適用することができる。
【符号の説明】
【００３８】
１……昇降路、２……乗りかご、３……メインレール、３ａ……メインレールブラケット、４……プランジャー、５……シリンダー、６……プランジャーレール、６ａ……プランジャーレールブラケット、７……主索、９……仮囲い、１０……吊りビーム、１１……昇降装置、１１ａ……昇降装置ロープ、１１ｂ……制御盤、１１ｃ……制御ケーブル、１１ｄ……操作盤、１１ｅ……操作ケーブル、１２……昇降装置取付金具、１３……最下部足場、１４……メインレール、１４ａ……メインレールブラケット、１５……かご床、１５ａ……作業用手すり、１５ｂ……作業用中さん、１６……揚重機、１６ａ……揚重ロープ、１７……乗りかご、１７ａ……かご下プーリ、１８……乗場ドア、１９……巻上機、２０……Ｃ．ｗｔレール、２０ａ……Ｃ．ｗｔレールブラケット、２１……Ｃ．ｗｔ、２１ａ……Ｃ．ｗｔプーリ、２２……主索、２３……上部プーリ、１００……切断部。
【図１】
2018058673.tif 000003
【図２】
2018058673.tif 000004
【図３】
2018058673.tif 000005
【図４】
2018058673.tif 000006
【図５】
2018058673.tif 000007
【図６】
2018058673.tif 000008
【図７】
2018058673.tif 000009
【図８】
2018058673.tif 000010
【図９】
2018058673.tif 000011
【図１０】
2018058673.tif 000012
【図１１】
2018058673.tif 000013
【図１２】
2018058673.tif 000014
【図１３】
2018058673.tif 000015